(57)【特許請求の範囲】
【請求項１】
段ボール材を折曲して成る箱体に切り込みを入れることにより掃除機本体を固定するための開口部とこの開口部外周にフラップを設けた緩衝構造体を掃除機本体の前後、左右、上下、或いは角部の何れか複数箇所に設けて、緩衝構造体で掃除機本体を挟持した状態で外装箱内に収納し、開口平面と連接して設けられたフラップの端部を同緩衝構造体の他の面に設けた係止穴に係止することにより構成される受圧フラップの端部を、係止穴に挿入される部分と係止穴を設けた平面に対して垂直に当接する部分の２つの部分より構成し、前記受圧フラップの端部の垂直・水平の両方向の動きを規制した事を特徴とする電気掃除機の梱包装置。
【請求項２】
開口平面の、受圧フラップに連続する部分のみを前記開口平面の他の部分と連続面を持たないよう独立させたことを特徴とした請求項１記載の電気掃除機の梱包装置。
【請求項３】
段ボール材を折曲して成る箱体に切り込みを入れることにより掃除機本体を固定するための開口部とこの開口部外周にフラップを設けた緩衝構造体を掃除機本体の前後、左右、上下、或いは角部の何れか複数箇所に設けて、緩衝構造体で掃除機本体を挟持した状態で外装箱内に収納し、前記開口部外周の掃除機本体の外面に当接する部分に設けたフラップの折曲線上に一個、或いは複数個の穴を設けたことを特徴とした電気掃除機の梱包装置。
【請求項４】
段ボール材を折曲して成る箱体に切り込みを入れることにより掃除機本体を固定するための開口部とこの開口部外周にフラップを設けた緩衝構造体を掃除機本体の前後、左右、上下、或いは角部の何れか複数箇所に設けて、緩衝構造体で掃除機本体を挟持した状態で外装箱内に収納し、前記緩衝構造体および外装箱の、掃除機本体の把手に近接する部分に運搬穴を設け、梱包装置の外部から掃除機本体の把手を握れるようにしたことを特徴とする電気掃除機の梱包装置。
【発明の詳細な説明】
【０００１】
【発明の属する技術分野】
本発明は、電気掃除機を収納する電気掃除機の梱包装置に関するものである。
【０００２】
【従来の技術】
電気掃除機の梱包装置に用いられる緩衝材は、環境破壊に繋がるとされる発泡スチロール等の樹脂によるものから、紙などのリサイクル可能な材料を使用した物に移行しつつある。
【０００３】
これらの中で、段ボールを緩衝材として用いる物には、特開平６−７２４８６号公報に示されたものがある。すなわち、掃除機本体１の底部に密接するシート状の底部固定材３に、掃除機本体１より突出する脚部或いは車輪の当接部分に凹部３ｃを設けることにより掃除機本体の動揺を阻止すると共に、掃除機本体１とは逆方向に複数箇所の折り曲げ部３ａを設けることにより、外箱２に底部と掃除機本体１の底部との間に空間を設けることが可能となる。また掃除機本体１の上部に門型に折り曲げた段ボールなどのシート状の上部固定材４を配することにより、掃除機本体１の動揺を阻止することが可能となる。
【０００４】
【発明が解決しようとする課題】
しかしながら上記の構成では、底部固定材３や上部固定材４がシート状であり、変形の度合いが大きいために掃除機本体の動揺阻止が不充分となることがある。
【０００５】
また、外箱のみで荷重を受ける構造であるために、積み重ね等により外箱の変形が発生しやすく、最悪の場合掃除機本体に大きな荷重が加わり掃除機本体の破壊を招くことがある。
【０００６】
本発明はこれらの課題を解消して荷重や衝撃から掃除機本体を保護する能力の高い、段ボール材を用いた電気掃除機の梱包装置を提供するものである。
【０００７】
【課題を解決するための手段】
以上の目的を達成するための本発明は、段ボール材を折曲して成る箱体に切り込みを入れることにより、掃除機本体を固定するための開口部と、この開口部外周にフラップを設けた緩衝構造体を掃除機本体の前後、左右、上下、或いは角部の何れか複数箇所に設けて、緩衝構造体で掃除機本体を挟持した状態で外装箱内に収納し、開口平面と連接して設けられたフラップの端部を同緩衝構造体の他の面に設けた係止穴に係止することにより構成される受圧フラップの端部を、係止穴に挿入される部分と係止穴を設けた平面に対して垂直に当接する部分の２つの部分より構成し、前記受圧フラップの端部の垂直・水平の両方向の動きを規制した事を特徴とするもので、掃除機本体が外装箱内で動揺することのないよう、強固に固定することができ、かつ荷重に強くすることができる。また受圧フラップに対してかかる荷重のうち、垂直・水平の各成分を支えることができるため、緩衝構造体の中で最も面積が広く変形しやすい開口平面と、これと相対する平面の間隔を押し縮めるような力が働いても、係止穴を設けた面に当接する部分によって緩衝構造体の変形を最小限にとどめることができる。
【０００８】
【発明の実施の形態】
本発明の請求項１に記載の発明は、段ボール材を折曲して成る箱体に切り込みを入れることにより掃除機本体を固定するための開口部とこの開口部外周にフラップを設けた緩衝構造体を掃除機本体の前後、左右、上下、或いは角部の何れか複数箇所に設けて、緩衝構造体で掃除機本体を挟持した状態で外装箱内に収納し、開口平面と連接して設けられたフラップの端部を同緩衝構造体の他の面に設けた係止穴に係止することにより構成される受圧フラップの端部を、係止穴に挿入される部分と係止穴を設けた平面に対して垂直に当接する部分の２つの部分より構成し、前記受圧フラップの端部の垂直・水平の両方向の動きを規制した。これにより掃除機本体が外装箱内で動揺することのないよう、強固に固定することができ、かつ荷重に強くすることができる。また、受圧フラップに対してかかる荷重のうち、垂直・水平の各成分を支えることができるため、緩衝構造体の中で最も面積が広く変形しやすい開口平面と、これと相対する平面の間隔を押し縮めるような力が働いても、係止穴を設けた面に当接する部分によって緩衝構造体の変形を最小限にとどめることができる。
【０００９】
本発明の請求項２に記載の発明は、開口平面の、受圧フラップに連続する部分のみを開口平面の他の部分と連続面を持たないよう独立させたもので、緩衝構造体の開口平面の、受圧フラップに連続する部分のみを開口平面の他の部分と連続面を持たないよう独立させることで、梱包に衝撃が加わっても段ボールの折曲部で生じるバネ効果により、掃除機本体に加わる緩衝を吸収することができる。
【００１０】
本発明の請求項３に記載の発明は、段ボール材を折曲して成る箱体に切り込みを入れることにより掃除機本体を固定するための開口部とこの開口部外周にフラップを設けた緩衝構造体を掃除機本体の前後、左右、上下、或いは角部の何れか複数箇所に設けて、緩衝構造体で掃除機本体を挟持した状態で外装箱内に収納し、前記開口部外周の掃除機本体の外面に当接する部分に設けたフラップの折曲線上に一個、或いは複数個の穴を設けたもので、掃除機本体が外装箱内で動揺することのないよう、強固に固定することができ、かつ荷重に強くすることができる。また、緩衝構造体開口部外周の掃除機本体の外面に当接する部分に設けたフラップの折曲線上に一個、或いは複数個の穴を設けることにより、フラップ平面が変形しやすくなり、曲率の小さい外径の曲面や小さな突起部などであれば、フラップのバネ効果を落とすことなく疑似曲線を作り出すことができる。
【００１１】
本発明の請求項４に記載の発明は、段ボール材を折曲して成る箱体に切り込みを入れることにより掃除機本体を固定するための開口部とこの開口部外周にフラップを設けた緩衝構造体を掃除機本体の前後、左右、上下、或いは角部の何れか複数箇所に設けて、緩衝構造体で掃除機本体を挟持した状態で外装箱内に収納し、前記緩衝構造体および外装箱の、掃除機本体の把手に近接する部分に運搬穴を設け、梱包装置の外部から掃除機本体の把手を握れるようにしたもので、緩衝構造体および外装箱の、掃除機本体の把手に近接する部分に運搬穴を設け、梱包装置の外部から掃除機本体の把手を握れるようにすることにより、製品持ち帰りなどの際に運搬用のひもを掛けたりすることなく容易に持ち運びができる。
【００１２】
以下、本発明の一実施の形態を添付図面に基づいて説明する。
【００１３】
図１は本発明の一実施の形態を示す電気掃除機の梱包装置の分解斜視図である。掃除機本体５は前後をそれぞれ前部緩衝構造体６と後部緩衝構造体７により挟持されており、この状態で外装箱８に収納される。これらの上部にはノズル、延長管、ホース等を内包した付属品箱９が収納される。５ａは掃除機本体５の一部に設けた把手であり、前部緩衝構造体６と外装箱８の把手５ａに近接する部分にはそれぞれ運搬穴ａ６ａと運搬穴ｂ８ａが設けられる。
【００１４】
図２は後部緩衝構造体７の斜視図であり、図３はその展開図である。
【００１５】
図３に示す段ボールシート材を折線に沿って折り曲げ、背面外１０の内側に背面内１１を、側面外１２の内側に側面内１３を、それぞれ貼り付けることで後部緩衝構造体７の箱状の外形が形成される。開口平面１４には多くの穴と切り込みが有り、これらによりフラップａ１５、フラップｂ１６、フラップｃ１７、フラップｄ１８、フラップｅ１９、フラップｆ２０、フラップｇ２１、および受圧フラップ２２が形成される。受圧フラップ２２の端部２３を係止穴ａ２４および係止穴ｂ２５に係止させることにより受圧フラップ端部２３は下方への動きを規制される。また、受圧フラップ端部２３の一部に端部当接部２３ａを設けているので、受圧フラップ端部２３の背面内１１側への水平方向の動きは規制される。フラップ１７、１８および受圧フラップ２２の折曲線上にはそれぞれ穴ａ２６，穴ｂ２７，穴ｃ２８が設けられている。連接面１４ａは開口平面１４上の他の部分とこの平面上で接続していないため、折曲部を中心に回動自在である。
【００１６】
図４は複両面段ボールの断面図である。段数が多く薄い外面２９と、段数が少なく厚い内面３０からなっている。
【００１７】
図５は、フラップｅ１９付近を梱包状態でフラップに対して垂直に断面したものである。
【００１８】
掃除機本体９と外装箱８の間には側面外１２、側面内１３およびフラップｅ１９が隙間なく挟まった状態になっているが、開口平面１４とフラップｅ１９の折曲線は図中ａ部に空間が形成されるよう、掃除機本体５より離されている。
【００１９】
前部緩衝構造体６についても、掃除機本体５に合わせた開口部の形状が異なる以外は後部緩衝構造体７とほぼ同様の構成をとる。
【００２０】
次に上記構成における動作・作用について説明する。
【００２１】
箱状の前後緩衝構造体６、７が、外装箱８にかかる上下方向の荷重を支えるので、外装箱８をつぶれにくくすることができ、開口平面１４に設けたフラップａ１５、フラップｂ１６、フラップｃ１７、フラップｄ１８、フラップｅ１９、フラップｆ２０、フラップｇ２１および受圧フラップ２２により、掃除機本体５が外装箱８内で動揺することがないよう強固に固定することができる。また側面および背面を二重壁とし更にこれらを接着することで、より一層上下方向の荷重に対して強くすることができる。
【００２２】
また、後部緩衝構造体７内部の掃除機本体５の下面と当接する部分に、設けた受圧フラップ２２の端部２３を、同緩衝構造体７の背面外１０と背面内１１に設けた係止穴ａ２４と係止穴ｂ２５に係止させるので、掃除機本体５の重量を広い面で確実に受けて背面１０，１１にも荷重を分配することで、緩衝構造体７が掃除機本体５の重量によって過度に変形したり、破壊されたりするのを防ぐことができる。
【００２３】
また、後部緩衝構造体７の受圧フラップ端部２３の一部に端部当接部２３ａを設けているので、受圧フラップ２２が開口平面１４と背面内１１をつなぐ梁の役目を果たし、開口平面１４と背面内１１の間隔を押し縮めるような前後方向の力が働いても、後部緩衝構造体７の変形を最小限にとどめることができる。
【００２４】
また、後部緩衝構造体７の開口平面１４と連接面１４ａが連続面を持たないよう独立させることで、段ボールの折曲部で生じるバネ効果による緩衝力を最大限に生かすことができ、掃除機本体５に加わる衝撃を和らげることができる。
【００２５】
また、後部緩衝構造体７に外面２９と内面３０の段数が異なる複両面段ボールを用いることで、フラップ等の折曲部で生じるバネ効果を更に大きなものとし、緩衝効果を高めることができる。
【００２６】
また、後部緩衝構造体７の掃除機本体５の外面に当接する部分に設けたフラップｃ１７およびフラップｄ１８の折曲線上に穴ａ２６および穴ｂ２７を設けることで、フラップ平面が変形しやすくなり、フラップ折曲部でのバネ効果を低下させることなく、容易に疑似曲線を作り出すことができる。
【００２７】
また、後部緩衝構造体７の内側の平面に掃除機本体５を直接、或いはフラップ等を介して間接的に当接させることで、掃除機本体５をより強固に固定することができ、かつ段ボール断面特有の平面に垂直方向の衝撃に対する緩衝効果により掃除機本体に加わる外装箱８外部の衝撃を和らげることができる。
【００２８】
また、後部緩衝構造体７に設けたフラップの折曲線に当たる開口部輪郭を、掃除機本体５の輪郭よりも僅かに大きくすることにより、掃除機本体５は各フラップ、受圧フラップ２２、後部緩衝構造体７内面など、面を中心として支えられることになるため、線で支持される部分が減少し、それに伴い梱包物が振動等にさらされた際に発生する擦り傷を減少させることができる。
【００２９】
また、前部緩衝構造体６と外装箱８の、把手５ａに近接する部分に運搬穴ａ６ａおよび運搬穴ｂ８ａを設けることにより、製品持ち帰りなどの際に、運搬用のひも等をかけることなく容易に持ち運びができる。
【００３０】
さらに本発明は前記実施の形態に限定されるものではなく、実施の形態中の床移動型電気掃除機以外に縦型電気掃除機で用いるなど、発明の趣旨を変更しない範囲において種々の修正、設計変更が可能であることは言うまでもない。
【００３１】
【発明の効果】
以上のように、本発明は、以下のような特有の効果を有する。（１）多重壁はその内面に掃除機本体を当接させたとき、緩衝効果を高める。（２）容易に強固な固定力が得られる接着による組立法は、はめ込みなどの組立法に比べて、緩衝構造体の強度確保や、組立の自動化の面で有利であり、梱包装置全体の才数減少やコスト低下が図りやすい。（３）フラップの折曲線に設けた穴は緩衝効果も生む。（４）開口平面の一部を利用してフラップや受圧フラップを形成しているため、段ボールの使用面積が少なくてすみ材料コストを安くすることができる。（５）運搬の際、被梱包物のうち最も重量が大きい掃除機本体の把手を直接持つことができるので、外装箱に開口部を設けてその部分を持つ場合などと比較して、開口部の段ボール端面が指に食い込んだり、開口部が梱包の重量のために破れてきたりといったことが無く、長時間の運搬にも充分耐えることができる。
【図面の簡単な説明】
【図１】  本発明の一実施の形態を示す電気掃除機の梱包装置の分解斜視図
【図２】  同緩衝構造体を示す斜視図
【図３】  同緩衝構造体の展開図
【図４】  同緩衝構造体の要部断面図
【図５】  同梱包装置の要部断面図
【図６】  従来例を示した電気掃除機の梱包装置の分解斜視図
【符号の簡単な説明】
５  掃除機本体
５ａ  把手
６  前部緩衝構造体
６ａ  運搬穴ａ
７  後部緩衝構造体
８  外装箱
８ａ  運搬穴ｂ
１７  フラップｃ
１９  フラップｅ
２２  受圧フラップ
２３  端部
２３ａ  係止端面
２４  係止穴ａ
２６  穴ａ
【図１】
0003735908.tif 000002
【図２】
0003735908.tif 000003
【図３】
0003735908.tif 000004
【図４】
0003735908.tif 000005
【図５】
0003735908.tif 000006
【図６】
0003735908.tif 000007